(57)【要約】      （修正有）【課題】意図しない外力や衝撃がカバーに加わっても、カバーが開いてしまうことを抑止できるノイズフィルタを提供する。【解決手段】ケース１２の一対の側壁部１２ａ，１２ｂに形成した端子台２２の上部に端子ネジ２６ａ，２６ｂ，２６ｃを配置して成り、上記端子ネジの上方を覆うカバー３０を有し、カバー３０は、天板３２と、天板３２の両端から下方へ延設された一対の側壁３４，３４と、該側壁３４から垂下する腕部３８と、腕部３８の内面に設けた突起を有し、また、上記側壁部１２ａ，１２ｂと直交する側壁部１２ｃ，１２ｄに、上記突起と嵌合し、腕部３８を上下方向に移動可能に支持するガイド溝４８を形成すると共に、カバー３０をケース１２内方側へ倒した際に、カバーの側壁３４及び腕部３８と当接して支持する凸部を設け、腕部３８の突起をガイド溝４８の最上端位置に至るまで移動させると共に、カバー３０をケース１２内方側へ倒して該カバー３０の側壁３４及び腕部３８を上記凸部に支持させて、カバー３０が開くよう構成。【選択図】図５
0003146407.tif 000002
【実用新案登録請求の範囲】
【請求項１】
ケース内にフィルタ回路を構成する電子部品を収納すると共に、上記ケースの対向する一対の側壁部に形成した端子台の上部に端子ネジを配置して成り、上記端子ネジの上方を覆うカバーを有するノイズフィルタであって、
上記カバーは、天板と、該天板の両端から下方へ延設された一対の側壁と、該側壁から垂下する腕部と、該腕部の内面に設けた突起を有しており、また、
端子台を設けた上記一対の側壁部の両端間に設けられた他の一対の側壁部に、上記腕部内面の突起と嵌合し、該腕部を上下方向に移動可能に支持するガイド溝を形成すると共に、カバーをケース内方側へ倒した際に、カバーの側壁及び腕部を支持する支持手段を設けて成り、
上記腕部の突起をガイド溝の最上端位置に至るまで移動させると共に、カバーをケース内方側へ倒して該カバーの側壁及び腕部を上記支持手段に支持させることにより、カバーが開くように構成したことを特徴とするノイズフィルタ。
【請求項２】
上記支持手段が、カバーをケース内方側へ倒した際に、カバーの側壁及び腕部におけるケース内方側の端部と当接する凸部で構成されていることを特徴とする請求項１に記載のノイズフィルタ。
【請求項３】
上記カバーにピン部材を設けると共に、カバーが閉じた状態で、上記ピン部材が挿入される筒状部を、上記端子台が形成された側壁部に設けたことを特徴とする請求項１又は２に記載のノイズフィルタ。
【考案の詳細な説明】
【技術分野】
【０００１】
この考案は、ケース内にフィルタ回路を構成する電子部品を収納すると共に、外部回路の外部端子との接続を行う端子ネジを備えたノイズフィルタに関し、特に、上記端子ネジの上方を覆うカバーを有するノイズフィルタに関する。
【背景技術】
【０００２】
ノイズフィルタは、電源ライン或いは通信ライン等の外部ラインを経由して電子機器内に侵入する各種のノイズによって、電子機器が誤動作することを防止し、また、電子機器が発生するノイズを外部に発散させないために使用されるものである。
【０００３】
ケース内にフィルタ回路を構成する電子部品を収納すると共に、外部回路の外部端子との接続を行う端子ネジを備えたノイズフィルタとして、本出願人は、先に実用新案登録第３１３９９５６号（以下、特許文献１と称する）を提案した。
この特許文献１のノイズフィルタにあっては、端子ネジの上方を覆う開閉可能なカバーを設けており、カバーを閉じて端子ネジの上方を覆うことにより、埃が付着したり、誤って指が端子ネジに接触することを防止できるようになっている。
また、カバーを開けて端子ネジの上方を開放することにより、端子ネジと外部回路を構成する電子部品から導出された外部端子（図示せず）との接続作業を容易に行うことができるようになっている。
【特許文献１】実用新案登録第３１３９９５６号
【考案の開示】
【考案が解決しようとする課題】
【０００４】
ところで、特許文献１に示された上記カバーは、左右両側の基端部をそれぞれ、左右の隔壁部に回動自在に取付けて成ることから、カバーを閉じた状態において、意図しない外力や衝撃がカバーに加えられるとカバーが容易に回動して開いてしまい、埃が付着してしまう等の問題を生じていた。
【０００５】
本考案は、意図しない外力や衝撃がカバーに加わっても、カバーが開いてしまうことを抑止できるノイズフィルタの実現を目的とするものである。
【課題を解決するための手段】
【０００６】
上記の目的を達成するために、本考案に係るノイズフィルタは、ケース内にフィルタ回路を構成する電子部品を収納すると共に、上記ケースの対向する一対の側壁部に形成した端子台の上部に端子ネジを配置して成り、上記端子ネジの上方を覆うカバーを有するノイズフィルタであって、
上記カバーは、天板と、該天板の両端から下方へ延設された一対の側壁と、該側壁から垂下する腕部と、該腕部の内面に設けた突起を有しており、また、
端子台を設けた上記一対の側壁部の両端間に設けられた他の一対の側壁部に、上記腕部内面の突起と嵌合し、該腕部を上下方向に移動可能に支持するガイド溝を形成すると共に、カバーをケース内方側へ倒した際に、カバーの側壁及び腕部を支持する支持手段を設けて成り、
上記腕部の突起をガイド溝の最上端位置に至るまで移動させると共に、カバーをケース内方側へ倒して該カバーの側壁及び腕部を上記支持手段に支持させることにより、カバーが開くように構成したことを特徴とする。
【０００７】
上記支持手段は、カバーをケース内方側へ倒した際に、カバーの側壁及び腕部におけるケース内方側の端部と当接する凸部で構成することができる。
【０００８】
上記カバーにピン部材を設けると共に、カバーが閉じた状態で、上記ピン部材が挿入される筒状部をケース側壁部に設けても良い。
【考案の効果】
【０００９】
本考案のノイズフィルタにあっては、カバーを開けるために、カバーを上方向に移動させる動作、カバーをケース内方側へ倒す動作の二段階の動作が必要であるため、意図しない外力や衝撃がカバーに加わった際にカバーが開いてしまうことを抑止することができる。
【００１０】
カバーにピン部材を設けると共に、カバーが閉じた状態で、上記ピン部材が挿入される筒状部をケース側壁部に設けた場合には、より一層、意図しない外力や衝撃がカバーに加わった際にカバーが開いてしまうことを抑止できる。
【考案を実施するための最良の形態】
【００１１】
以下において、本考案に係るノイズフィルタを添付図面に基づいて説明する。
図１は本考案に係るカバーを閉じた状態のノイズフィルタを示す斜視図、図２は同正面図、図３は同左側面図、図４は同平面図である。また、図５は本考案に係るカバーを開けた状態のノイズフィルタを示す斜視図、図６は同正面図、図７は同左側面図、図８は同平面図である。
【００１２】
本考案に係るノイズフィルタ10は、箱状のケース12を備えており、該ケース12内に、各種電子部品で構成された、例えば図９に示す如きフィルタ回路14が収納されている。
上記ケース12は、樹脂等の絶縁材料より成り、上端及び下端に開口を有する略直方体状の本体部16と、該本体部16の上端開口を閉塞する樹脂等の絶縁材料より成る蓋18と、上記本体部16の下端開口を閉塞し、図示しないアースと電気的に接続される導電材料より成るベース20とから構成されている。
【００１３】
上記フィルタ回路14は、第１のＸコンデンサC1、第２のＸコンデンサC2、第１のＹコンデンサC3、第２のＹコンデンサC4、コモンモードチョークコイルＬ及び抵抗器Ｒで構成されているものである。
尚、図９に示す回路構成は一例を示したものに過ぎず、これに限定されるものではない。
【００１４】
上記ケース12の対向する一対の側壁部12ａ，12ｂには、それぞれ端子台22，22が形成されており、該端子台22はその上部に、所定間隔で立設する複数の隔壁24が設けられており（図５参照）、隔壁24，24間に端子ネジ26ａ，26ｂ，26ｃが並列配置されている。
尚、図示は省略するが、端子ネジ26ａ及び端子ネジ26ｃは、上記フィルタ回路14と電気的に接続され、端子ネジ26ｂはベース20と電気的に接続されるものである。
また、一対の側壁部12ａ，12ｂには、後述するカバー30のピン部材44が挿入される筒状部28が、側壁部12ａ，12ｂの上端から下端に至るまで延設されている。
【００１５】
30は、上記端子ネジ26ａ，26ｂ，26ｃの上方を覆う樹脂等の絶縁材料より成るカバーであり、図１０及び図１１に示すように、該カバー30は、略矩形状の天板32と、該天板32の短辺側の両端から天板32と直交して下方へ延設された一対の側壁34，34と、天板32の一方の長辺から天板32と直交して延設された前壁36を有している。
上記一対の側壁34，34からは、それぞれ板状の腕部38，38が垂下されており、該腕部38，38の内面下方に突起40が設けられている。
また、上記前壁36には、該前壁36と直交する凸片42が形成されており、該凸片42から棒状のピン部材44が垂下されている。このピン部材44は、カバー30を閉じた際に、側壁部12ａ，12ｂの筒状部28内に挿入されるようになっている。
【００１６】
上記一対の側壁部12ａ，12ｂと直交し、これら一対の側壁部12ａ，12ｂの両端間に設けられた他の一対の側壁部12ｃ，12ｄを構成する本体部16の外面には、カバー30の上記腕部38，38を収容する凹部46が形成されている（図５及び図６参照）。該凹部46はその外形が、腕部38の外形より若干大きい略相似形と成されており、側壁部12ｃ，12ｄの上端から下端に向かって形成されている。
また、上記凹部46の内面には、上下方向に延びるガイド溝48が形成されており、該ガイド溝48にカバー30の上記突起40が嵌合されて、カバー30の腕部38，38が上下方向に移動可能に支持されるようになっている。
而して、カバー30を閉じた状態から、カバー30の側壁34，34を摘んで上方に引っ張ると、突起40がガイド溝48内を移動して、カバー30が上方向に移動するようになっている。また、カバー30が開いた状態から、カバー30の側壁34，34を摘んで下方に押し下げると、突起40がガイド溝48内を移動して、カバー30が下方向に移動するようになっている。
尚、腕部38，38を収容する上記凹部46を形成したことにより、カバー30を上方に引っ張ったり、下方に押し下げたりする際に、カバー30を上下方向に確実に案内することができる。
【００１７】
また、一対の側壁部12ｃ，12ｄを構成する蓋18の外面には、カバー30をケース12内方側へ倒した際に、カバー30の側壁34及び腕部38を支持する支持手段が設けられている。
該支持手段は、カバー30をケース12内方側へ倒した際に、カバー30の側壁34及び腕部38におけるケース12内方側の端部と当接する凸部50で構成されている（図１及び図２参照）。
【００１８】
以下において、本考案に係るノイズフィルタ10のカバー30の開閉動作について説明する。
図１〜図４に示すように、カバー30を閉じた状態においては、カバー30のピン部材44がケース側壁部12ａ，12ｂの筒状部28内に挿入されると共に、カバー30の腕部38がケース側壁部12ｃ，12ｄの凹部46内に収納されており、カバー30によって端子台22，22の端子ネジ26ａ，26ｂ，26ｃの上方が覆われている。この結果、端子ネジ26ａ，26ｂ，26ｃに埃が付着したり、誤って指が端子ネジ26ａ，26ｂ，26ｃに接触することが防止される。
尚、この状態においては、カバー30の腕部38に形成した突起40は、ケース側壁部12ｃ，12ｄの凹部46内面に形成したガイド溝48の最下端に位置している。
【００１９】
カバー30を開ける場合には、先ず、カバー30の側壁34，34を摘んで上方に引っ張り、カバー腕部38の突起40をガイド溝48の最上端位置に至るまで移動させる。この結果、カバー30が上方向に移動することとなる（図１２参照）。
次に、カバー30をケース12内方側へ倒し、カバー30のピン部材44を筒状部28から抜くと共に、カバー30の側壁34，34及び腕部38，38のケース12内方側の端部を、側壁部12ｃ，12ｄに形成した凸部50に当接させる。この結果、図５〜図８に示すように、カバー30の側壁34及び腕部38が上記凸部50で支持され、端子ネジ26ａ，26ｂ，26ｃの上方が開放される。この状態で、図示しない外部端子等と端子ネジ26ａ，26ｂ，26ｃとの接続作業を行うことができる。
【００２０】
而して、本考案のノイズフィルタ10にあっては、カバー30を開けるために、カバー30を上方向に移動させる動作、カバー30をケース12内方側へ倒す動作の二段階の動作が必要であるため、意図しない外力や衝撃がカバーに加わった際にカバーが開いてしまうことを抑止することができる。
しかも、カバー30にピン部材44を設けると共に、カバー30が閉じた状態で、上記ピン部材44が挿入される筒状部28をケース側壁部12ａ，12ｂに設けているので、より一層、意図しない外力や衝撃がカバーに加わった際にカバーが開いてしまうことを抑止できる。
【図面の簡単な説明】
【００２１】
【図１】本考案に係るカバーを閉じた状態のノイズフィルタを示す斜視図である。
【図２】本考案に係るカバーを閉じた状態のノイズフィルタを示す正面図である。
【図３】本考案に係るカバーを閉じた状態のノイズフィルタを示す左側面図である。
【図４】本考案に係るカバーを閉じた状態のノイズフィルタを示す平面図である。
【図５】本考案に係るカバーを開けた状態のノイズフィルタを示す斜視図である。
【図６】本考案に係るカバーを開けた状態のノイズフィルタを示す正面図である。
【図７】本考案に係るカバーを開けた状態のノイズフィルタを示す左側面図である。
【図８】本考案に係るカバーを開けた状態のノイズフィルタを示す平面図である。
【図９】本考案に係るノイズフィルタのフィルタ回路の一例を示す回路図である。
【図１０】カバーを示す拡大正面図である。
【図１１】カバーを示す拡大斜視図である。
【図１２】カバーを上方向に移動させた状態を示す正面図である。
【符号の説明】
【００２２】
10    ノイズフィルタ
12    ケース
12ａ  ケースの側壁部
12ｂ  ケースの側壁部
12ｃ  ケースの側壁部
12ｄ  ケースの側壁部
14    フィルタ回路
Ｌ    コモンモードチョークコイル
C1    第１のＸコンデンサ
C2    第２のＸコンデンサ
C3    第１のＹコンデンサ
C4    第２のＹコンデンサ
Ｒ    抵抗器
16    ケースの本体部
18    ケースの蓋
20    ケースのベース
22    端子台
24    端子台の隔壁
26ａ  端子ネジ
26ｂ  端子ネジ
26ｃ  端子ネジ
28    筒状部
30    カバー
32    カバーの天板
34    カバーの側壁
36    カバーの前壁
38    カバーの腕部
40    カバーの突起
42    カバーの凸片
44    カバーのピン部材
46    凹部
48    ガイド溝
50    凸部
【図１】
0003146407.tif 000003
【図２】
0003146407.tif 000004
【図３】
0003146407.tif 000005
【図４】
0003146407.tif 000006
【図５】
0003146407.tif 000007
【図６】
0003146407.tif 000008
【図７】
0003146407.tif 000009
【図８】
0003146407.tif 000010
【図９】
0003146407.tif 000011
【図１０】
0003146407.tif 000012
【図１１】
0003146407.tif 000013
【図１２】
0003146407.tif 000014